(57)【要約】      （修正有）【課題】鍵盤蓋がスライド式である場合において、見栄えの良さと円滑な開閉動作を確保しながら、設計上の自由度を向上させることができ、商品性を向上させることができる鍵盤楽器の鍵盤蓋装置を提供する。【解決手段】電子ピアノの鍵盤蓋装置は、演奏部を開閉する鍵盤蓋１０と、鍵盤蓋１０の前後方向へのスライドを案内するための前ガイド溝７ａを有する腕木６と、鍵盤蓋１０の前側の左右端部にそれぞれ設けられ、鍵盤蓋１０の左右端面の付近を遮蔽する側壁部を有する左右一対のサイドプレート１３と、サイドプレート１３から外方にそれぞれ突出し、一対の腕木６の前ガイド溝７ａにそれぞれ係合するとともに、鍵盤蓋１０が前後方向にスライドするときに一対の腕木６の案内溝によって案内される左右一対のガイドブッシュ１４と、を備える。【選択図】図６
2013228552.tif 000002
【特許請求の範囲】
【請求項１】
楽器本体内に配置された鍵盤を含む演奏部を前後方向にスライド式に開閉する鍵盤楽器の鍵盤蓋装置であって、
前記楽器本体に設けられ、前記演奏部を開閉する鍵盤蓋と、
前記楽器本体に設けられ、前記鍵盤蓋の左右端よりも外方の位置において前後方向に延び、前記鍵盤蓋の前後方向へのスライドを案内するための案内溝を有する左右一対の腕木と、
前記鍵盤蓋の前側の左右端部にそれぞれ設けられ、前記鍵盤蓋から下方に延びるとともに前記鍵盤蓋の左右端面の付近を遮蔽する遮蔽壁を有する左右一対の遮蔽部材と、
当該一対の遮蔽部材の前記遮蔽壁から外方にそれぞれ突出し、前記一対の腕木の前記案内溝にそれぞれ係合するとともに、前記鍵盤蓋が前後方向にスライドするときに前記一対の腕木の前記案内溝によって案内される左右一対の突出部材と、
を備えることを特徴とする鍵盤楽器の鍵盤蓋装置。
【請求項２】
前記一対の突出部材の各々は、取付具を介して前記一対の遮蔽部材の各々と一体に前記鍵盤蓋に取り付けられていることを特徴とする請求項１に記載の鍵盤楽器の鍵盤蓋装置。
【請求項３】
前記一対の突出部材の各々と前記一対の遮蔽部材の各々は、互いに一体成形されていることを特徴とする請求項１に記載の鍵盤楽器の鍵盤蓋装置。
【請求項４】
前記鍵盤蓋の前端部に設けられ、左右方向に延びる蓋前付をさらに備え、
前記一対の遮蔽部材は、当該蓋前付の左右両側を遮蔽するように、前記鍵盤蓋に取り付けられていることを特徴とする請求項１ないし３のいずれかに記載の鍵盤楽器の鍵盤蓋装置。
【請求項５】
前記一対の遮蔽部材は合成樹脂材で構成されていることを特徴とする請求項１ないし４のいずれかに記載の鍵盤楽器の鍵盤蓋装置。
【発明の詳細な説明】
【技術分野】
【０００１】
本発明は、鍵盤楽器の演奏部をスライド式に開閉する鍵盤楽器の鍵盤蓋装置に関する。
【背景技術】
【０００２】
従来、鍵盤楽器の鍵盤蓋装置として、特許文献１に記載されたものが知られている。この鍵盤蓋装置は、電子ピアノに適用されたものであり、鍵盤蓋を備えている。この鍵盤蓋は、電子ピアノの演奏部を閉鎖する位置と、これを開放する位置との間で、前後方向にスライド自在に電子ピアノのピアノ本体に取り付けられている。この鍵盤蓋の前端部には、横長の蓋前付がねじ止めされており、蓋前付の下端部には、左右の前ガイド突起が設けられている。左右の前ガイド突起はそれぞれ、蓋前付の左右端から外方に突出し、ピアノ本体の左右の腕木の前ガイド溝に係合している。
【０００３】
また、鍵盤蓋の後端部には、横長の後付けがねじ止めされており、後付けには、左右の後ガイド突起および左右のピニオンが設けられている。左右のピニオンは、後付けの左右端から外方に突出し、ピアノ本体の左右の腕木のラックに噛み合っている。さらに、左右の後ガイド突起はそれぞれ、左右のピニオンよりも外方に突出し、ピアノ本体の左右の腕木の後ガイド溝に係合している。
【０００４】
以上の構成により、この鍵盤蓋装置では、手で鍵盤蓋を手前に引いたり、奥側に押したりしたときに、前ガイド突起が前ガイド溝によって、後ガイド突起が後ガイド溝によってそれぞれ案内されるとともに、ピニオンがラックに噛み合いながら回転する。それにより、鍵盤蓋が前後方向にスライドするとともに、その際、腕木の上縁と鍵盤蓋の下縁との間に大きな隙間が生じないように構成されている。これは、そのような隙間が生じた場合、見栄えが悪くなるとともに、異物が隙間に挟まると、鍵盤蓋の円滑なスライドが阻害される可能性があるので、それらの問題を回避するためである。
【先行技術文献】
【特許文献】
【０００５】
【特許文献１】特開２０００−３０５５５６号公報
【発明の概要】
【発明が解決しようとする課題】
【０００６】
上記特許文献１の鍵盤蓋装置によれば、上述したように、見栄えの良さと円滑な開閉動作を確保する観点から、鍵盤蓋が前後方向にスライドする際、腕木の上縁と鍵盤蓋の下縁との間に大きな隙間が生じないように構成しなければならない。そのため、腕木の上縁および前ガイド溝などにおいて、互いの位置関係や形状などが制約されてしまい、結果的に、設計上の自由度が低いという問題がある。
【０００７】
本発明は、上記課題を解決するためになされたもので、鍵盤蓋がスライド式である場合において、見栄えの良さと円滑な開閉動作を確保しながら、設計上の自由度を向上させることができ、商品性を向上させることができる鍵盤楽器の鍵盤蓋装置を提供することを目的とする。
【課題を解決するための手段】
【０００８】
上記目的を達成するために、請求項１に係る発明は、楽器本体（ピアノ本体３）内に配置された鍵盤５を含む演奏部４を前後方向にスライド式に開閉する鍵盤楽器（電子ピアノ２）の鍵盤蓋装置１であって、楽器本体に設けられ、演奏部４を開閉する鍵盤蓋１０と、楽器本体に設けられ、鍵盤蓋１０の左右端よりも外方の位置において前後方向に延び、鍵盤蓋１０の前後方向へのスライドを案内するための案内溝（前ガイド溝７ａ）を有する左右一対の腕木６，６と、鍵盤蓋１０の前側の左右端部にそれぞれ設けられ、鍵盤蓋１０から下方に延びるとともに鍵盤蓋１０の左右端面の付近を遮蔽する遮蔽壁（側壁部１３ａ）を有する左右一対の遮蔽部材（サイドプレート１３，１３）と、一対の遮蔽部材の遮蔽壁から外方にそれぞれ突出し、一対の腕木６，６の案内溝にそれぞれ係合するとともに、鍵盤蓋１０が前後方向にスライドするときに一対の腕木６，６の案内溝によって案内される左右一対の突出部材（ガイドブッシュ１４，１４）と、を備えることを特徴とする。
【０００９】
この鍵盤楽器の鍵盤蓋装置によれば、左右一対の突出部材が左右一対の腕木の案内溝によってそれぞれ案内されることにより、鍵盤蓋が前後方向にスライドする。その際、腕木と案内溝の位置関係や形状が、鍵盤蓋の下縁と腕木の上縁との間に隙間が生じるような構成になっていたとしても、左右一対の遮蔽部材が鍵盤蓋の前側の左右端部にそれぞれ設けられ、鍵盤蓋から下方に延びるとともに鍵盤蓋の左右端面の付近を遮蔽する遮蔽壁を有しているので、この遮蔽壁によって、そのような隙間を遮蔽することができる。それにより、見栄えの良さと円滑な開閉動作を確保しながら、設計上の自由度を向上させることができ、商品性を向上させることができる。
【００１０】
請求項２に係る発明は、請求項１に記載の鍵盤楽器の鍵盤蓋装置１において、一対の突出部材（ガイドブッシュ１４，１４）の各々は、取付具（取付ピン１５）を介して一対の遮蔽部材（サイドプレート１３，１３）の各々と一体に鍵盤蓋１０に取り付けられていることを特徴とする。
【００１１】
この鍵盤楽器の鍵盤蓋装置によれば、１つの取付具を用いるだけで、１つの突出部材と１つの遮蔽部材を一体に鍵盤蓋に取り付けることができる。それにより、突出部材および遮蔽部材を異なる取付具を介して鍵盤蓋に別々に取り付けた場合と比べて、工数および部品点数を減らすことができ、その分、製造コストを削減することができる。
【００１２】
請求項３に係る発明は、請求項１に記載の鍵盤楽器の鍵盤蓋装置１において、一対の突出部材の各々と一対の遮蔽部材の各々は、互いに一体成形されていることを特徴とする。
【００１３】
この鍵盤楽器の鍵盤蓋装置によれば、一対の突出部材の各々と一対の遮蔽部材の各々は、互いに一体成形されているので、突出部材と遮蔽部材を別個に作製した場合と比べて、部品点数を減らすことができ、その分、製造コストを削減することができる。
【００１４】
請求項４に係る発明は、請求項１ないし３のいずれかに記載の鍵盤楽器の鍵盤蓋装置１において、鍵盤蓋１０の前端部に設けられ、左右方向に延びる蓋前付１２をさらに備え、一対の遮蔽部材は、蓋前付１２の左右両側を遮蔽するように、鍵盤蓋１０に取り付けられていることを特徴とする。
【００１５】
この鍵盤楽器の鍵盤蓋装置によれば、一対の遮蔽部材が、蓋前付の左右両側を遮蔽するように、鍵盤蓋に取り付けられているので、鍵盤蓋が前後方向にスライドする際、蓋前付の左右両側が腕木の上縁よりも上方に位置する状態となったとしても、遮蔽壁によって、蓋前付の左右両側を遮蔽することができる。それにより、蓋前付が鍵盤蓋に設けられている場合においても、見栄えの良さと円滑な開閉動作を確保しながら、設計上の自由度を向上させることができ、商品性を向上させることができる。
【００１６】
請求項５に係る発明は、請求項１ないし４のいずれかに記載の鍵盤楽器の鍵盤蓋装置１において、一対の遮蔽部材（サイドプレート１３，１３）は合成樹脂材で構成されていることを特徴とする。
【００１７】
この鍵盤楽器の鍵盤蓋装置のように、一対の遮蔽部材が鍵盤蓋の前側の左右端部にそれぞれ設けられている場合、一対の遮蔽部材として金属などの硬い材質で構成されたものを用いると、鍵盤蓋がスライドする際の腕木との接触に起因して、腕木の表面に傷が付いてしまうおそれがある。これに対して、この鍵盤楽器の鍵盤蓋装置によれば、一対の遮蔽部材が合成樹脂材で構成されているので、金属などの硬い材質で構成したものと比べて、腕木の表面に傷が付くのを抑制することができ、商品性をさらに向上させることができる。さらに、請求項４に係る鍵盤楽器の鍵盤蓋装置の場合には、一対の遮蔽部材が蓋前付の左右両側を遮蔽するように、鍵盤蓋に取り付けられているので、蓋前付を金属などの硬い材質で構成した場合でも、腕木の表面に傷が付くのを抑制することができる。それにより、設計の自由度および商品性をより一層、向上させることができる。
【図面の簡単な説明】
【００１８】
【図１】本発明の一実施形態に係る鍵盤蓋装置およびこれを適用した電子ピアノの鍵盤蓋が閉鎖位置にある状態を示す側面透視図である。
【図２】鍵盤蓋が開放位置にある状態を示す側面透視図である。
【図３】サイドプレート周辺の構成を示す分解斜視図である。
【図４】サイドプレート周辺の構成を示す側面図である。
【図５】鍵盤蓋が閉鎖位置と開放位置との間の位置にある状態を示す側面透視図である。
【図６】図５のサイドプレート周辺を拡大した図である。
【発明を実施するための形態】
【００１９】
以下、図面を参照しながら、本発明の一実施形態に係る鍵盤楽器の鍵盤蓋装置について説明する。図１に示すように、本実施形態の鍵盤蓋装置１は、鍵盤楽器としての電子ピアノ２に適用したものである。この電子ピアノ２は、ピアノ本体３（楽器本体）と、このピアノ本体３の演奏部４を開閉する鍵盤蓋１０を有する鍵盤蓋装置１などを備えている。ピアノ本体３は、木質合板や鋼材などを組み立てたものであり、前後方向に延びる左右一対の腕木６，６（１つのみ図示）を備えている。これらの左右の腕木６，６は、例えば、ＭＤＦ材などの木質材の表面に塩化ビニールシート（またはオレフィン系樹脂シート）を貼ったもので構成されており、これらの腕木６，６の間の演奏部４には、鍵盤５および操作パネル（図示せず）などが配置されている。
【００２０】
左右の腕木６，６の内面には、前後方向に延びる前後の凹部が形成されており、これらの前後の凹部には、前後のガイドレール７，８が嵌め込まれている。左右の前ガイドレール７，７および後ガイドレール８，８（いずれも１つのみ図示）は、左右対称に配置されている。
【００２１】
前ガイドレール７は、腕木６の内面に沿って、ピアノ本体３の前端部から上方に延び、その上端から後ガイドレール８の前端に向かって斜め後ろ上がりに延びるとともに、その後端部は若干、斜め後ろ下がりに延びている。前ガイドレール７は、内側に開口する断面コ字状（図示せず）の樹脂成形品で構成されており、この開口部分が前ガイド溝７ａ（案内溝）になっている。この前ガイド溝７ａは、前ガイドレール７の全長にわたって形成されており、後端が開口している。また、前ガイドレール７は、その内端が腕木６の内面と面一の状態で、腕木６にねじ止めされている。
【００２２】
また、各後ガイドレール８は、前後方向に長く延びるように腕木６にねじ止めされており、後ガイド溝８ａおよびラック８ｂを備えている。これらの後ガイド溝８ａおよびラック８ｂは、外側から順に並設され、互いに一体に形成されている。また、これらはいずれも、前後方向に延びているとともに、後ガイドレール８の全長にわたって形成されている。後ガイド溝８ａは、断面矩形（図示せず）で、内側に開口している。また、ラック８ｂは、後ガイド溝８ａの底面よりも若干低い位置に配置されている。
【００２３】
一方、鍵盤蓋１０は、図１に示す演奏部４を閉鎖する閉鎖位置と、図２に示す演奏部４を開放する開放位置との間で、前後方向にスライド自在にピアノ本体３に取り付けられている。この鍵盤蓋１０は、図３，４に示すように、蓋本体１１、蓋前付１２、左右のサイドプレート１３，１３（１つのみ図示）、左右のガイドブッシュ１４，１４（１つのみ図示）および左右の取付ピン１５，１５（１つのみ図示）などを備えている。この蓋本体１１は、横長の矩形板（例えばＭＤＦ材の表面に塩化ビニールシートまたはオレフィン系樹脂シートを貼ったもの）であり、左右の腕木６，６の内面間の距離よりも若干小さい幅と、かつ蓋前付１２とともに演奏部４を覆うことが可能な奥行きとを有している。
【００２４】
蓋前付１２は、軽合金（例えばアルミ合金）の押出成形品で構成されており、蓋本体１１の前端部に取り付けられている。蓋前付１２は、平らな基板部１２ａと、この基板部１２ａから斜め前下がりに延びる取付部１２ｃとを備えている。この基板部１２ａには、複数の丸孔１２ｂ（２つのみ図示）が形成されている。基板部１２ａは、ねじ（図示せず）を丸孔１２ｂに通し、蓋本体１１にねじ込むことによって、蓋本体１１の下面に当接した状態で蓋本体１１に固定されている。また、基板部１２ａの前端部は、斜め前下がりに蓋本体１１の前端部から前方に突出している。さらに、取付部１２ｃの先端部には、断面Ｃ字状の取付穴１２ｄが左右方向の全体にわたって形成されている。
【００２５】
また、左右のサイドプレート１３（遮断部材）の各々は、ＡＢＳ樹脂で構成されており、平らな側壁部１３ａおよび平らな上壁部１３ｃを備えている。側壁部１３ａ（遮断壁）は、前後方向に延びており、その下方への突出高さは、前側部分が最も大きいとともに、後側に向かうほど小さくなるように構成されている。この側壁部１３ａの下端部には、丸孔１３ｂが形成されている。さらに、上壁部１３ｃは、側壁部１３ａの中央部から後端にわたる部位において、これらの部位から内方に延びてているとともに、２つの横長の切欠穴１３ｄ，１３ｄを備えている。上壁部１３ｃは、ねじ１６を各切欠穴１３ｄに通し、蓋本体１１にねじ込むことによって、蓋本体１１の下面に当接した状態で蓋本体１１に固定されている。その状態では、サイドプレート１３の側壁部１３ａは、蓋前付１２の左右両側を遮蔽している。
【００２６】
また、左右のガイドブッシュ１４（突出部材）の各々は、合成樹脂製の円筒状のものであり、左右の取付ピン１５（取付具）の各々を介して蓋前付１２に取り付けられているとともに、サイドプレート１３の側壁部１３ａから外方に突出し、前ガイドレール７の前ガイド溝７ａに係合している。この取付ピン１５の中央部から先端部は、タッピンねじタイプのねじ部１５ａになっており、このねじ部１５ａが、ガイドブッシュ１４の内孔１４ａおよびサイドプレート１３の丸孔１３ｂに通され、蓋前付１２の取付穴１２ｄにねじ込まれることによって、ガイドブッシュ１４は、サイドプレート１３と一体に蓋前付１２に取り付けられている。
【００２７】
一方、図１，２に示すように、蓋本体１１の後端部には、蓋後付１７が取り付けられている。この蓋後付１７は、金属板（例えば鋼板）を曲げ加工したものであり、蓋本体１１の下面に当接した状態で、蓋本体１１にねじ止めされている。この蓋後付１７には、回転軸１７ａが回転自在に取り付けられている。この回転軸１７ａは、左右方向に延び、その両端部が後ガイドレールの後ガイド溝８ａ，８ａに係合する係合部になっている。また、この回転軸１７ａの場合、左右の係合部よりも内側の部位には、左右のピニオン１７ｂ，１７ｂ（１つのみ図示）が一体に設けられており、これらのピニオン１７ｂ，１７ｂはそれぞれ、左右の後ガイドレール８，８のラック８ｂ，８ｂに噛み合っている。
【００２８】
以上のように構成された本実施形態の鍵盤蓋装置１において、鍵盤蓋１０を開放するときには、閉鎖位置にある鍵盤蓋１０を持ち上げながら後方に押す。その操作に伴い、各ガイドブッシュ１４および回転軸１７ａの各係合部が前後のガイド溝７ａ，８ａによってそれぞれ案内され、各ピニオン１７ｂがラック８ｂに噛み合いながら回転する。それにより、鍵盤蓋１０が後方にスライドし、開放される。これとは逆に、鍵盤蓋１０を閉鎖するときには、開放位置にある鍵盤蓋１０を手前に引くと、その操作に伴い、各ガイドブッシュ１４および回転軸１７ａの各係合部が前後のガイド溝７ａ，８ａによってそれぞれ案内され、各ピニオン１７ｂがラック８ｂに噛み合いながら回転する。それにより、鍵盤蓋１０が前方にスライドし、閉鎖される。
【００２９】
本実施形態の鍵盤蓋装置１の場合、以上の鍵盤蓋１０の開閉動作中、図５，６に示すように、鍵盤蓋１０の左右両側において、蓋本体１１の下縁と腕木６の上縁との間に隙間が生じるものの、その隙間をサイドプレート１３によって遮蔽することができる。これに加えて、左右のサイドプレート１３，１３が、蓋前付１２の左右両側を遮蔽するように蓋本体１１に取り付けられているので、鍵盤蓋１０が前後方向にスライドする際、蓋前付１２の左右両側が腕木６の上縁よりも上方の位置に来たときでも、２つのサイドプレート１３，１３によって、蓋前付１２の左右両側を遮蔽することができる。以上により、見栄えの良さと円滑な開閉動作を確保しながら、設計上の自由度を向上させることができ、商品性を向上させることができる。
【００３０】
また、１つの取付ピン１５を用いるだけで、サイドプレート１３およびガイドブッシュ１４を一体に蓋本体１１に取り付けることができる。それにより、サイドプレート１３およびガイドブッシュ１４を異なる取付具を介して蓋本体１１に別々に取り付けた場合と比べて、工数および部品点数を減らすことができ、その分、製造コストを削減することができる。
【００３１】
さらに、サイドプレート１３がＡＢＳ樹脂で構成されているので、サイドプレート１３として金属などの硬い材質で構成されたものを用いた場合と比べて、腕木６の表面（内面）に傷が付くのを抑制することができる。これに加えて、サイドプレート１３が蓋前付１２の左右両側を遮蔽するように、蓋本体１１に取り付けられているので、金属製の蓋前付１２を用いながら、腕木６の表面に傷が付くのを抑制することができる。それにより、設計の自由度および商品性をより一層、向上させることができる。
【００３２】
なお、実施形態は、本発明の鍵盤蓋装置を鍵盤楽器としての電子ピアノ２に適用した例であるが、本発明の鍵盤蓋装置はこれに限らず、各種の鍵盤楽器に適用可能である。例えば、本発明の鍵盤蓋装置を、電子オルガンやシンセサイザーなどに適用してもよい。
【００３３】
また、実施形態は、遮蔽部材として、サイドプレート１３を用いた例であるが、本発明の遮蔽部材はこれに限らず、鍵盤蓋の左右端面の付近を遮蔽する遮蔽壁を有するものであればよい。
【００３４】
一方、実施形態は、遮蔽部材として、ＡＢＳ樹脂製のものを用いた例であるが、本発明の遮蔽部材の材質はこれに限らず、合成樹脂であればよい。例えば、遮蔽部材として、ＡＳＡ樹脂製や、ＡＣＳ樹脂製、ＡＥＳ樹脂製のものを用いてもよい。
【００３５】
さらに、実施形態は、突出部材として、ガイドブッシュ１４を用いた例であるが、本発明の突出部材はこれに限らず、遮蔽部材の遮蔽壁から外方に突出し、腕木の案内溝に係合するとともに、鍵盤蓋が前後方向にスライドするときに腕木の案内溝によって案内されるものであればよい。
【００３６】
一方、実施形態は、取付具として、取付ピン１５を用いた例であるが、本発明の取付具はこれに限らず、突出部材および遮蔽部材を一体に鍵盤蓋に取り付けることができるものであればよい。
【００３７】
また、実施形態は、サイドプレート１３およびガイドブッシュ１４を別個の部品として構成した例であるが、これらを１つにまとめた一体成形品で構成してもよい。
【符号の説明】
【００３８】
１  鍵盤蓋装置
２  電子ピアノ（鍵盤楽器）
３  ピアノ本体（楽器本体）
４  演奏部
５  鍵盤
６  腕木
７ａ  前ガイド溝（案内溝）
１０  鍵盤蓋
１２  蓋前付
１３  サイドプレート（遮蔽部材）
１３ａ  側壁部（遮蔽壁）
１４  ガイドブッシュ（突出部材）
１５  取付ピン（取付具）
【図１】
2013228552.tif 000003
【図２】
2013228552.tif 000004
【図３】
2013228552.tif 000005
【図４】
2013228552.tif 000006
【図５】
2013228552.tif 000007
【図６】
2013228552.tif 000008